(57)【特許請求の範囲】
【請求項１】
複数個のレーキ線材を配列してレーキ列を形成し、このレーキ列を進行方向に直交する回転軸に対して放射方向に配置させてレーキ群回転体を構成し、このレーキ群回転体は進行方向に対して下方から掬い上げるように逆転しながら長尺根菜類の栽培畝の表層土を側方へ掻寄せて首出しをする長尺根菜類の首だし装置。
【請求項２】
レーキ群回転体の回転軸芯は進行方向に対して角度を変更する装置を具備している請求項１記載の長尺根菜類の首だし装置。
【発明の詳細な説明】
【技術分野】
【０００１】
本発明は、トラクターの後部に連結して、圃場の畝に生育した長いもや牛蒡の長尺根菜類を収穫する際に、根菜の下端部へ掘り取り部材を挿入させて、根菜類を周囲の栽培土とともに浮上させながら掘り上げる収穫体系において、あらかじめ収穫機を導入する直前に根菜類の首部（頭部ともいう）を明確に突出させる首だし装置に関するものである。
【背景技術】
【０００２】
長いもや牛蒡等の長尺根菜類の掘り取り装置は、従来から種々提案されている。その長尺根菜の牛蒡の収穫機導入前に前作業として茎葉処理が知られ、また、長いもの収穫機導入前には成熟して枯死した蔓の巻き取り装置が提案されている。例えば牛蒡の茎葉処理機では根菜の首部（頭部ともいう）の周辺土を側方に寄せて根菜首部を露出させて掘り取り作業時に植え付け位置を容易に確認できるようにした技術が開示される（特許文献１）。
また長いも等の掘り取り体の前方に、根菜類の根部の周りの上層土を側方に運び出すスクリューオーガータイプの排土機を配位することによって掘り取り体の牽引負荷を小さくして、小牽引馬力のトラクターでも掘り取り作業を可能にする技術が開示される（特許文献２）。
【先行技術文献】
【特許文献】
【０００３】
【特許文献１】特開２０１１−９７５０９公報
【特許文献２】特開平５−１２３０２２公報
【発明の概要】
【発明が解決しようとする課題】
【０００４】
前述した特開２０１１−９７５０９号の明細書に寄れば、「刈取り部で根菜の茎葉部を刈取りした後に排土板７で根菜頭部分の土を側方に除去することにより、根菜頭部分を地上に露出させ茎葉刈取り後の根菜の植付け位置が容易に確認できるようになり、根菜頭部分に不要な土の盛り上がりが無くなり堀り取り作業時の引抜き作業が容易となる」との記載があるが、平面視Ｖ字状の傾斜面を有した排土板は根菜の頭部を直接に削ると頭部分に傷を与えることになり根菜頭部を明確に露出するだけ表層土を排除するには限界がある。また特開平５−１２３０２２公報には、掘り取り体の前方に、根菜類の根部の周りの上層部の土を側方に運び出す排土機を配位することによってトラクターに装着した掘り取り体の牽引負荷を小さくする技術が開示されるが首部露出に関する記述はない。
本発明の課題は長尺根菜類の掘り取り作業の前処理工程として長尺根菜類の首部（頭部）の周辺の表層土を排除するとともに頭部自体を明確に露出させて、根菜の植付け位置を容易に確認して、掘り取り作業時の掘り取り体が根菜の植え付け位置に的確に配置するようにした、長尺根菜類の首だし装置を提供せんとするものである。
【課題を解決するための手段】
【０００５】
本発明は複数個のレーキ線材を配列してレーキ列を形成し、このレーキ列を進行方向に直交する回転軸に対して放射方向に配置させてレーキ群回転体を構成し、このレーキ群回転体は進行方向に対して下方から掬い上げるように逆転しながら長尺根菜類の栽培畝の表層土を側方へ掻寄せて首出しをする長尺根菜類の首だし装置である。
また、上記した長尺根菜類の首だし装置においてレーキ群回転体の回転軸芯は進行方向に対して角度を変更する手段を具備した構成である。
【発明の効果】
【０００６】
以上のような構成にしたので長尺根菜類の掘り取り作業の前処理として生育した根菜類の牛蒡や長いもの首部（頭部）の周辺の表層土をほぐしながら側方へかき寄せて首部自体を明確に露出させ、根菜の植付け位置が容易に確認できるようになり、トラクターのオペレーターが掘り取り体を根菜の植え付け位置に的確に配置可能になって、長いもの損傷率が著しく低下した。さらに排除された表層土の分だけ次工程の掘り取り作業時にトラクターの牽引力を小さくできて経済的である。またレーキ群回転体の回転軸芯は進行方向に対して角度を変更することによって掻き寄せ盛り土の位置を変更して畝の隣接作業の条件に選択可能になったので効率的である。
【図面の簡単な説明】
【０００７】
【図１】は本発明を実施した斜視図
【図２】は作業状態を説明する側面図
【図３】は要部を説明する平面図
【図４】は長尺根菜類の首だし説明図である
【図５】は角度切り替え時の表層盛り土の説明図である
【発明を実施するための形態】
【０００８】
本発明は長尺根菜類の掘り取り作業の前処理として生育した根菜類の首部（頭部）の周辺の表層土を排除するとともに首部自体を明確に露出させて、根菜の植付け位置が容易に確認できるようにして、掘り取り収穫期の掘り取り体が根菜の植え付け位置に的確に配置可能にした、長いもやゴボウ等の首だし装置を提供するもので、
複数個のレーキ線材を配列してレーキ列を形成し、このレーキ列を進行方向に直交する回転軸に対して放射方向に配置させてレーキ群回転体を構成し、このレーキ群回転体は進行方向に対して下方から掬い上げるように逆転（ｆ）しながら長尺根菜類の栽培畝の表層土を掻きだして首出しをする長尺根菜類の首だし装置であって、必要によってレーキ群回転体の回転軸芯は進行方向に対して角度を切り替えて、表層土の排土盛り土を一方に寄せて隣接作業のトラクター走行をスムーズにする構成である。
【実施例】
【０００９】
図１は本発明を実施した外観斜視図を示し、１は装着フレームを示しトラクター後部に連結する為のトップブラケット２及び下部左右には３のロアピンを有し、２６は横梁で中央の下方に向けてホルダー２５を介して６の排除板を連結している。６の排除板は平面視Ｖ字状を形成して栽培畝の上面の夾雑物を側方へ寄せる。１７は係合板で前記した横梁２６の背部に鰐口状に突設される。７は基枠で前記した係合板１７に支軸１８、及び１９の縦ピンによって固定されて後部に９の変速ボックスを連結する。１２はレーキ線材で変速ボックス９によって回転される。８はカバーで前記したレーキ線材１２の外周を被覆する。１１は変速ボックスの入力軸で図示してないがトラクターのＰＴＯ軸より伝動される。
図２は作業状態を説明する側面図で、装着フレーム１は図示していないトラクターの後部に連結されるもので４のトップリンクと一対のロアリンク５によって装着される。９の変速ボックスはトラクターより伝動されるジョイント軸１０を介して１１の入力軸を回転する。変速ボックス９の回転軸１４に対して放射方向に配置したレーキ線材１２は進行方向に向けて掬い上げるように逆転方向（矢印ｆ）に回転して栽培畝の根菜頭部の表層土を前方に排除しながら側方へ寄せて根菜の首出しをする。１３は尾輪でレーキ線材１２の表層土に対する深さを加減して取り付け高さを調節可能に支持される。６の排除板はホルダー２５に対してピンの差し替えにより表層土に対する設置高さを調整可能に支持される。
図３は首だし要部を説明する平面図である。装着フレーム１の後方に向けて突設した係合板１７に７の基枠に変速ボックス９が連結されて、この変速ボックス９には進行方向に直交した回転軸１４が装備されている。回転軸１４には数個の横バー１５が並行上に固着され、この横バー１５にはレーキ線材１２を横設してレーキ列１６を放射方向に形成してレーキ群回転体を構成する。１７の係合板には基枠７の基部が係合して進行方向に向けて角度を変更する手段を具備している。すなわち係合板１７の基部は支軸１８によって支持され他方端には円弧上に３個の孔２０が設けられて形成される。１の装着フレームに対して基枠７は支軸１８を支点として矢印Ｚの方向に揺動して角度が変わり、前記した３個の孔２０の一つを選び縦ピン１９を指し替えることによってレーキ群回転体２１は進行方向に対して角度が変更される。角度を変えると図５に示した如く表層土の排除盛り土２３を一方に寄せて掻き上げる。レーキ線材１２は直径３ミリから９ミリのばね鋼で適宜な弾性を有しており、根茎首部周囲の表層土をほぐしながら排除させる。弾性を有するレーキ線材は根茎首部の損傷を最小限にする。
図４は長尺根菜類の首だし説明図であり、（イ）は根菜の１例である長いもの収穫前の生育状態を示したもので、長いも２２は通常１メートルから１メートル２０センチメートルまで伸びる。首部（頭部）２４は畝を形成する表層土２８内にあり、首部２４の上部は蔓状の茎葉である。（ロ）は本発明の首だし装置により長いもの表層土２８を排除している作業断面を示したもので、レーキ列２１が長いも首部２４の周りの表層土を進行方向に向けて掻き上げながら左右に排除していくものである。（ハ）は本発明の作業直後を示し、表層土２８を排除して左右に盛り土を形成した断面を示したものである。図５はレーキ群回転体２１の角度切り替え時の表層盛り土２３の説明図であり、隣接する畝の幅や、次工程の作業で盛り土が不要の場合は他方向に盛り土２３を形成した状態を示したものである。
【産業上の利用可能性】
【００１０】
本発明の長尺根菜類の首だし装置は根菜首部の表層土をほぐして掻き上げて首部（頭部）明確に露出させて、収穫作業を的確に無駄なくできるようにしたものである。特に、デリケートな長いもの収穫においてはトラクター馬力を軽減し、効率的な収穫体系をもたらしたものであり、日本の燵業の畑作経営に大きな貢献をするものである。
【符号の説明】
【００１１】
１  装着フレーム
２  トップブラケット
３  ロアピン
４  トップリンク
５  ロアリンク
６  排除板
７  基枠
８  カバー
９  変速ボックス
１０  ジョイント軸
１１  入力軸
１２  レーキ線材
１３  尾輪
１４  回転軸
１５  横バー
１６  レーキ列
１７  係合板
１８  支軸
１９  縦ピン
２０  孔
２１  レーキ群回転体
２２  長いも
２３  盛り土
２４  首部
２５  ホルダー
２６  横梁
２７  蔓
２８  表層土
【図１】
0006053073.tif 000002
【図２】
0006053073.tif 000003
【図３】
0006053073.tif 000004
【図４】
0006053073.tif 000005
【図５】
0006053073.tif 000006